(57)【要約】【課題】  接着剤の硬化収縮を制御して固定部品と調整部品の偏心の調整と組み立てが容易となり、位置決めした後の位置ずれの発生を防止して、偏心調整の精度が高く、コンパクト化、高品質化、形成する画像の解像度の高解像度化、投射距離の低減等に対応することができる低コストの偏心調整組み立て部品、及び、その偏心調整組み立て部品の偏心調整組み立て方法、偏心調整組み立て装置、並びに、その偏心調整組み立て部品を具備する画像形成装置を提供する。【解決手段】  固定される固定部品１と、固定部品１に対して光軸の偏心を調整して組み立てられた調整部品２と、固定部品１の光軸固定部品５ａに対する調整部品２の光軸調整部品５ｂの偏心量、又は、偏心方向の検出結果に基づいて硬化収縮を制御して固定部品１に調整部品２を接着固定して組み立てた接着剤３とからなる。【選択図】  図１
2006250964.tif 000002
【特許請求の範囲】
【請求項１】
光軸を偏心調整して組み立てられた光学部品において、固定部品と、該固定部品に対して光軸の偏心を調整して組み立てられた調整部品と、該固定部品に対して該調整部品を接着する接着剤と、を備え、前記接着剤は、固定部品の光軸に対する調整部品の光軸の偏心量、又は、偏心方向の検出結果に基づいて硬化収縮を制御できる構成を有することを特徴とする偏心調整組み立て部品。
【請求項２】
請求項１に記載の偏心調整組み立て部品おいて、上記接着剤は、エネルギー線硬化型接着剤であることを特徴とする偏心調整組み立て部品。
【請求項３】
請求項１に記載の偏心調整組み立て部品において、上記エネルギー線硬化型接着剤は、紫外線硬化型接着剤であることを特徴とする偏心調整組み立て部品。
【請求項４】
請求項１、２又は３に記載の偏心調整組み立て部品において、上記調整部品は、エネルギー線硬化型接着剤の硬化収縮を制御して固定部品に調整部品を接着固定する為に照射するエネルギー線の散乱を防止する遮光面を備えることを特徴とする偏心調整組み立て部品。
【請求項５】
請求項４に記載の偏心調整組み立て部品において、上記遮光面を、上記調整部品としての調整レンズ、又は、調整反射鏡のコバ面に形成したことを特徴とする偏心調整組み立て部品。
【請求項６】
請求項１、３、４又は５に記載の偏心調整組み立て部品において、上記接着剤は、上記固定部品に調整部品を接着固定して組み立てる位置を、少なくとも円周に沿った３箇所以上に当配分したことを特徴とする偏心調整組み立て部品。
【請求項７】
請求項１、２、３、４又は５に記載の偏心調整組み立て部品において、上記接着剤は、上記固定部品に上記調整部品を１箇所で接着固定して組み立てたことを特徴とする偏心調整組み立て部品。
【請求項８】
請求項１乃至７の何れか一項に記載の偏心調整組み立て部品において、上記調整部品のコバ面と、上記コバ面と対向した固定部材に形成した接着面と、上記コバ面と上記接着面との間に充填して硬化収縮を制御した接着剤とを備えたことを特徴とする偏心調整組み立て部品。
【請求項９】
組み立て部品の偏心を調整して組み立てる偏心調整組み立て方法において、固定部品の光軸に対する調整部品の光軸の偏心量、又は、偏心方向の検出結果に基づいて、上記固定部品に上記調整部品を接着固定して組み立てる接着剤の硬化収縮を制御して、上記固定部品の光軸に対して上記調整部品の光軸の偏心を調整して組み立てることを特徴とする偏心調整組み立て方法。
【請求項１０】
請求項９に記載の偏心調整組み立て方法において、上記固定部品の光軸に対して上記調整部品の光軸の偏心を調整して組み立てる偏心調整組み立て工程では、粗調整工程で粗調整をした後に、微調整工程で微調整を行うことを特徴とする偏心調整組み立て方法。
【請求項１１】
請求項１０に記載の偏心調整組み立て方法において、微調整工程は、接着剤の硬化収縮を制御して、固定部品の光軸に対して調整部品の光軸の偏心を微調整して組み立てることを特徴とする偏心調整組み立て方法。
【請求項１２】
請求項１０又は１１に記載の偏心調整組み立て方法において、上記微調整工程において、上記固定部品の光軸に対して調整部品の光軸の微調整する偏心量は、２０μｍ以下であることを特徴とする偏心調整組み立て方法。
【請求項１３】
請求項９、１０、１１又は１２に記載の偏心調整組み立て方法において、上記固定部品を回動して、固定部品の光軸に対する上記調整部品の光軸の偏心量、又は、偏心方向の検出を行うことを特徴とする偏心調整組み立て方法。
【請求項１４】
請求項９、１０、１１、１２、又は１３に記載の偏心調整組み立て方法において、上記調整部品を回動して、上記固定部品の光軸に対する上記調整部品の光軸の偏心量、又は、偏心方向の検出を行うことを特徴とする偏心調整組み立て方法。
【請求項１５】
請求項９に記載の偏心調整組み立て方法において、硬化収縮制御手段を備え、該硬化収縮制御手段による硬化収縮の制御領域に回動して来た接着剤の硬化収縮を制御して、上記固定部品の光軸に対して上記調整部品の光軸の偏心を調整して組み立てることを特徴とする偏心調整組み立て方法。
【請求項１６】
請求項９、１０、１１、１２、１３、１４又は１５に記載の偏心調整組み立て方法において、上記硬化収縮制御手段は、接着剤のエネルギー線硬化型接着剤に照射するエネルギー線の照射バランスを制御することで、固定部品の光軸に対して調整部品の光軸の偏心を調整して組み立てることを特徴とする偏心調整組み立て方法。
【請求項１７】
請求項１６に記載の偏心調整組み立て方法において、上記エネルギー線硬化型接着剤は、紫外線硬化型接着剤であることを特徴とする偏心調整組み立て方法。
【請求項１８】
請求項１６又は１７に記載の偏心調整組み立て方法において、上記硬化収縮制御手段が行う接着剤に照射するエネルギー線のバランスを、エネルギー線の照射のオン／オフで制御して行うことを特徴とする偏心調整組み立て方法。
【請求項１９】
請求項１６又は１７に記載の偏心調整組み立て方法において、上記硬化収縮制御手段は、接着剤に照射するエネルギー線のバランスを、エネルギー線の照射強度を制御して調整することを特徴とする偏心調整組み立て方法。
【請求項２０】
請求項１６、１７、１８、又は１９に記載の偏心調整組み立て方法において、偏心検出手段を備え、上記硬化収縮制御手段の行なう接着剤に照射するエネルギー線の照射と、上記偏心検出手段の行う固定部品の光軸に対する調整部品の光軸の偏心量、又は、偏心方向の検出を、時分割で行うことを特徴とする偏心調整組み立て方法。
【請求項２１】
請求項１６、１７、１８、１９、又は２０に記載の偏心調整組み立て方法において、上記調整部品に、エネルギー線硬化型接着剤の硬化収縮を制御して固定部品に調整部品を接着固定する為に照射するエネルギー線の散乱を防止する遮光面を形成することを特徴とする偏心調整組み立て方法。
【請求項２２】
請求項２１に記載の偏心調整組み立て方法において、上記遮光面を、調整部品のレンズ、又は、反射鏡のコバ面に形成したことを特徴とする偏心調整組み立て方法。
【請求項２３】
請求項９乃至２２の何れか一項に記載の偏心調整組み立て方法において、上記調整部品を接着固定する固定部材に、上記調整部品のコバ面と対向した接着面を設け、上記コバ面と上記接着面との間に接着剤を充填することを特徴とする偏心調整組み立て方法。
【請求項２４】
偏心を調整して組み立てられた光学部品の偏心調整組み立て装置において、固定部品の光軸に対する調整部品の光軸の偏心量、又は、偏心方向を検出する偏心検出手段と、上記偏心検出手段の検出結果に基づいて上記固定部品に上記調整部品を接着固定して組み立てる接着剤の硬化収縮を制御する硬化収縮制御手段とを備え、上記硬化収縮制御手段により、上記固定部品の光軸に対して上記調整部品の光軸の偏心を調整して組み立てることを特徴とする偏心調整組み立て装置。
【請求項２５】
請求項２４に記載の偏心調整組み立て装置において、上記固定部品の光軸に対して上記調整部品の光軸の偏心を調整して組み立てる粗調整工程で粗調整を行った後に微調整工程で微調整を行う硬化収縮制御手段と、上記固定部品の上記光軸に対して上記調整部品の上記光軸の偏心を調整して組み立てる偏心調整組み立工程の微調整工程で微調整を行う前に粗調整工程で粗調整を行う調整部品偏心調整手段と、からなることを特徴とする偏心調整組み立て装置。
【請求項２６】
請求項２５に記載の偏心調整組み立て装置において、上記硬化収縮制御手段では、上記固定部品の光軸に対して上記調整部品の光軸の微調整する偏心量は、２０μｍ以下であることを特徴とする偏心調整組み立て装置。
【請求項２７】
請求項２４、２５、又は２６に記載の偏心調整組み立て装置において、上記硬化収縮制御手段は、固定部品の光軸に対して調整部品の光軸が偏心している方向と逆方向側の接着剤部分に対して硬化収縮の制御をして上記固定部品の上記光軸に対して上記調整部品の上記光軸の偏心を調整して組み立てることを特徴とする偏心調整組み立て装置。
【請求項２８】
請求項２４、２５、２６、又は２７に記載の偏心調整組み立て装置において、上記硬化収縮制御手段は、上記固定部品に上記調整部品を接着固定して組み立てる照射部を、少なくとも円周方向に３箇所以上等配分したことを特徴とする偏心調整組み立て装置。
【請求項２９】
請求項２４、２５、２６、２７、又は２８に記載の偏心調整組み立て装置において、上記硬化収縮制御手段は、上記接着剤のエネルギー線硬化型接着剤に照射するエネルギー線の照射バランスを制御することで、上記固定部品の光軸に対して上記調整部品の光軸の偏心を調整して組み立てることを特徴とする偏心調整組み立て装置。
【請求項３０】
請求項２９に記載の偏心調整組み立て装置において、上記エネルギー線硬化型接着剤は、紫外線硬化型接着剤であることを特徴とする偏心調整組み立て装置。
【請求項３１】
請求項２９、又は３０に記載の偏心調整組み立て装置において、上記硬化収縮制御手段は、上記接着剤に照射するエネルギー線のバランスを、エネルギー線の照射のオン／オフで制御して調整することを特徴とする偏心調整組み立て装置。
【請求項３２】
請求項３１に記載の偏心調整組み立て装置において、上記硬化収縮制御手段は、エネルギー線の照射のオン／オフで制御して行う電磁シャッタを備えることを特徴とする偏心調整組み立て装置。
【請求項３３】
請求項２９、３０、３１、又は３２に記載の偏心調整組み立て装置において、上記硬化収縮制御手段は、上記接着剤に照射するエネルギー線のバランスを、エネルギー線の照射の照射強度で制御して調整することを特徴とする偏心調整組み立て装置。
【請求項３４】
請求項３３に記載の偏心調整組み立て装置において、上記硬化収縮制御手段は、エネルギー線の照射の照射強度で制御して行う可変フィルターを備えることを特徴とする偏心調整組み立て装置。
【請求項３５】
請求項２９、３０、３１、３２、３３、又は３４に記載の偏心調整組み立て装置において、上記偏心検出手段が行う上記固定部品の光軸に対する上記調整部品の光軸の偏心量、又は、偏心方向の検出と、上記硬化収縮制御手段が行う接着剤に照射するエネルギー線の照射を、時分割で行うことを特徴とする偏心調整組み立て装置。
【請求項３６】
請求項２９、３０、３１、３２、３３、３４、又は３５に記載の偏心調整組み立て装置において、上記硬化収縮制御手段は、エネルギー線硬化型接着剤の硬化収縮を制御して固定部品に調整部品を接着固定する為に照射するエネルギー線の散乱を防止する遮光部材を備えることを特徴とする偏心調整組み立て装置。
【請求項３７】
請求項３６に記載の偏心調整組み立て装置において、上記遮光部材は、調整部品の上部を囲む形状を有していることを特徴とする偏心調整組み立て装置。
【請求項３８】
請求項２４乃至３６の何れか一項に記載の偏心調整組み立て装置において、上記硬化収縮制御手段は、調整部品を接着固定する固定部材に設けた上記調整部品のコバ面と対向した接着面との間に充填した接着剤の硬化収縮を制御して、固定部品の光軸に対して上記調整部品の光軸の偏心を調整して組み立てることを特徴とする偏心調整組み立て装置。
【請求項３９】
請求項２５乃至３８の何れか一項に記載の偏心調整組み立て装置において、上記調整部品偏心調整手段は、調整部品を固定部品の光軸に対して垂直な平面内で上記固定部品の上記光軸に対して上記調整部品の光軸の偏心を調整して組み立てることを特徴とする偏心調整組み立て装置。
【請求項４０】
請求項２４乃至３９の何れか一項に記載の偏心調整組み立て装置において、上記固定部品と調整部品は、回動手段によって回動可能に保持されていることを特徴とする偏心調整組み立て装置。
【請求項４１】
請求項４０に記載の偏心調整組み立て装置において、上記回動手段は、上記固定部品と調整部品の回転位置を検出する回転位置検出手段を備えることを特徴とする偏心調整組み立て装置。
【請求項４２】
請求項４０又は４１に記載の偏心調整組み立て装置において、上記硬化収縮制御手段は、硬化収縮の制御領域に回動して来た接着剤の硬化収縮を制御して、上記固定部品の光軸に対して上記調整部品の光軸の偏心を調整して組み立てることを特徴とする偏心調整組み立て装置。
【請求項４３】
組み立て部品の偏心を調整して組み立てられた偏心調整組み立て部品で画像を形成する画像形成装置において、画像を形成する画像形成部と、上記請求項１乃至８の何れか一項に記載の偏心調整組み立て部品とからなることを特徴とする画像形成装置。
【請求項４４】
請求項４３に記載の画像形成装置において、上記画像形成部は、電子写真方法の作像プロセスで被記録媒体上にトナーの記録画像を形成することを特徴とする画像形成装置。
【発明の詳細な説明】
【技術分野】
【０００１】
本発明は、偏心調整組み立て部品、及び、その偏心調整組み立て部品の偏心調整組み立て方法、偏心調整組み立て装置、並びに、その偏心調整組み立て部品を具備する画像形成装置に関する。特に、光学部品としての固定部品に対して光学部品としての調整部品を組み付ける際の偏心調整に好適な技術を提供するものである。
【背景技術】
【０００２】
各種光学装置等に使用される偏心調整組み立て部品、例えば、カメラや液晶プロジェクタ等に用いられる組レンズでは、複数のレンズをレンズ固定ホルダーに収めた固定レンズの光軸に対して、調整レンズを光軸と垂直な面内で調整する偏心調整が行われる。
然し、近年、組レンズ等の偏心調整組み立て部品を備えたカメラ、プロジェクタ、原稿画像読取装置、画像形成装置にあっては、装置のコンパクト化、形成する画像の解像度の高解像度化、投射距離の短縮等に伴い、組レンズ等の偏心調整に要求されている調整精度が厳しくなっており、１ミクロン乃至３ミクロン、製品によっては、サブミクロンの調整組み立て精度が要求されている。
第１、第２レンズ系に中心光線、及び、該中心光線に平行な３本以上の輪帯光線を照射する手段と、第１、第２レンズ系を通過した中心光線、及び、輪帯光線を受光して、該中心光線、及び、輪帯光線によりそれぞれ形成された像に対応する信号を生成するとともに前記信号に基づいて各像の照度を求める手段と、前記照度の分布から輪帯光線の像の重心座標と中心光線の像の中心座標を求めて、その差から得られる軸上コマ量に応じて微調心補正量を求める手段と、前記微調心補正量に基づいて前記第２レンズ系を光軸と垂直な方向に微動させる手段とを具備して、高速に点像の位置を検出でき、レンズ系の微動調整を自動的に行うことが可能となり、調整後のレンズ系の位置をそのまま維持し接着固定することができるレンズ系光軸調整装置、及び、レンズ系光軸調整方法は公知である（特許文献１を参照）。
すでに光軸調整されたレンズＦ2〜Ｆ4に対してレンズＦ1の偏心量を計測してＸＹ微動ステージを駆動して、このときの駆動量すなわちレンズＦ1の偏心量を、チャートの２方向の直線パターンをレンズＦを介してセンサに投影し、チャート像のＸ方向、及び、Ｙ方向の照度分布からコマフレア量を算出し、予め計測された参照データと比較することで求めるようにして、レンズ系の偏心状態を高速かつ高精度で検出し、レンズ系の光軸調整を自動的に行って、調整後のレンズをそのまま接着固定できる、レンズ系の偏心を定量的に計測して光軸調整を自動的に行うレンズ系光軸調整方法およびレンズ系光軸調整装置も公知である（特許文献２を参照）。
【０００３】
被着物１と被着物２との位置合わせをした後に、エネルギー線硬化型接着剤を用いて被着物１に被着物２を接合する方法に関し、被着物１と被着物２との接合に寄与する複数の硬化箇所で発生する硬化収縮力を、エネルギー線硬化型接着剤に与えられる硬化エネルギーを変化させることにより制御し、硬化収縮力により発生する被着物２にかかる応力を互いに相殺し、被着物１に対する被着物２の相対的な位置を保持して接着硬化を行って、エネルギー線硬化型接着剤の特徴であるハイタクトや簡易性を維持し、特殊な接着剤を使用することなく、硬化収縮による部品の位置ずれを回避し、接着接合を高精度化する位置制御型接着接合方法、及び、その装置も公知である（特許文献３を参照）。
更に、収縮力により発生する接着物にかかる応力を互いに相殺して被着物に対する接着物の相対的な位置を保持、若しくは、任意の位置に動作させて接着する際に、接着剤の反応の遅れ、接着剤の硬化進行、接着剤の塗布状態の影響を考慮して、照射条件を制御することで、硬化収縮による部品の位置ずれを回避し、より短時間に接着接合を高精度化する制御方法、及び、その装置が同一出願人によって提案されている。
これらの従来技術は、光軸ずれ量の検出とその調整を自動で行うことで、作業者のばらつきによる精度の低下を防ごうとしており（特許文献１を参照）、光軸ずれ量の検出精度を上げることで、高精度な偏心調整を可能にしている（特許文献２を参照）が、例えば、レンズの偏心量を検出して調整する工程までの高精度化に過ぎなかった。
実際には、調整した位置に調整レンズを正確に固定する必要があり、調整レンズの固定には接着剤が多く用いられており、その接着精度がレンズの組み付け精度を確保する上でのネックとなっていた。
【０００４】
一般に、部品を接着する接着剤としては、加熱硬化型、嫌気硬化型、光、紫外線、可視光等の硬化型等が代表的であり、更にこれらの幾つかの性質を兼ね備えたものもある。
その中でも、熱硬化型樹脂やエネルギー線硬化型樹脂に代表される硬化型樹脂は反応速度が速く、硬化時間が大幅に短縮されることから、生産工程の高効率化を図る目的で様々な分野で利用されている。
特に、画像形成装置における光学部品をはじめとした高速化の必要な部品接合では、一般的に、光硬化型の中でも紫外線（ＵＶ）硬化型の接着剤を使用して接合する場合が多い。
それは、加熱硬化型の場合は、オーブン等で熱を加える工程が必要であるため、工程の高速化の妨げになることや、部品によっては熱を許容することができないものも存在するからである。
又、嫌気硬化型は、硬化プロセスの特徴から制限された接着構造とする必要がある為である。
然し、硬化の際、どのタイプの接着剤でも、体積収縮、硬化収縮による応力、硬化収縮力が発生する。
一般に、アクリル系紫外線硬化性樹脂は５％〜１０％、エポキシ系紫外線硬化性樹脂は２％〜５％程度の硬化収縮が発生し、収縮量に比例して硬化収縮力が増加する。
この硬化収縮力による影響は、接着強度的には僅かな低下でしかなくても、精密組立において大きな課題であり、部品間の高精度な調整を完了した後に硬化収縮の影響で、調整した位置にずれが生じ、組立調整精度を低下させてしまっていた。
そこで、特殊な接着剤を使用することなく、硬化収縮による部品の位置ずれを回避し、接着接合を高精度化する方法、及び、装置が公知である（特許文献３を参照）
即ち、被着物と接着物の相対的な位置を計測する位置計測手段の計測結果に基づいて複数の照射手段を個別に制御し、接着剤の収縮力により発生する接着物にかかる応力を互いに相殺して被着物に対する接着物の相対的な位置を保持もしくは任意の位置に動作させて保持することで、硬化収縮のバランスにより発生する接着物の位置ずれを低減するものである。
【０００５】
又、その制御方法としては、反応の遅れ、接着剤の硬化進行、接着剤の塗布状態の影響を考慮して、照射条件を制御することも、同一出願人から提案されている。
通常のレンズ偏心調整等では、ＣＣＤで撮影した画素データから偏心量、偏心方向を演算手段で求め、調整レンズ偏心調整手段で固定レンズまたは固定レンズ群の光軸に垂直な面内２方向（Ｘ、Ｙ方向）に調整レンズを調整し、目標座標に調整レンズ面のターゲット像検出座標を一致させる。
この状態で調整レンズコバ面とレンズ枠基準面との間に接着剤を肉盛り塗布して接着すれば偏心調整は終了する。
然し、この接着時の接着剤の硬化収縮により、せっかく目標座標に調整した調整レンズがずれ、接着完了時に多ければ数μｍのずれが発生してしまっていた。
このように、組み立て部品の偏心を調整して組み立てられた偏心調整組み立て部品は、偏心調整のための装置もその方法も複雑で困難であって、部品を位置決めして組み立てる接着剤の硬化収縮による組み立て部品の位置ずれが発生して、偏心調整の要求に対して調整精度が低く、画像形成装置等のコンパクト化、又、形成する画像の解像度の高解像度化、投射距離の低減等に対応することが困難でコスト高であった。
【特許文献１】特許第３２０８９０２号公報
【特許文献２】特開２０００−１２１９０１公報
【特許文献３】特開２００４−１１５５４５公報
【発明の開示】
【発明が解決しようとする課題】
【０００６】
以上のように従来は、偏心調整のための装置もその方法も複雑であり、完全な偏心調整を実施することは困難であって、部品を位置決めして組み立てる接着剤の硬化収縮による組み立て部品の位置ずれが発生して、偏心調整の要求に対して調整精度が低くなり、レンズ等の調整部品を搭載する機器による画像の解像度の高解像度化、投射距離の短縮等に対応することが困難でコスト高になると言う問題が発生していた。
そこで本発明の課題は、接着剤の硬化収縮を制御して固定部品と調整部品との偏心調整が容易となり、両部品間を位置決めした後の位置ずれの発生を防止して、両部品の偏心調整の精度を高め、コンパクト化、高品質化、形成する画像の解像度の高解像度化を図り、機器の小型化による投射距離の短縮等に対応することができる低コストの偏心調整組み立て部品、及び、その偏心調整組み立て部品の偏心調整組み立て方法、偏心調整組み立て装置、並びに、その偏心調整組み立て部品を具備する画像形成装置を提供することを目的とする。
【課題を解決するための手段】
【０００７】
目的を達成するために、請求項１に記載の本発明は、光軸を偏心調整して組み立てられた光学部品において、固定部品と、該固定部品に対して光軸の偏心を調整して組み立てられた調整部品と、該固定部品に対して該調整部品を接着する接着剤と、を備え、前記接着剤は、固定部品の光軸に対する調整部品の光軸の偏心量、又は、偏心方向の検出結果に基づいて硬化収縮を制御できる構成を有することを特徴とする。
請求項２の発明は、請求項１に記載の偏心調整組み立て部品おいて、上記接着剤は、エネルギー線硬化型接着剤であることを特徴とする。
請求項３の発明は、請求項１に記載の偏心調整組み立て部品において、上記エネルギー線硬化型接着剤は、紫外線硬化型接着剤であることを特徴とする。
請求項４の発明は、請求項１、２又は３に記載の偏心調整組み立て部品において、上記調整部品は、エネルギー線硬化型接着剤の硬化収縮を制御して固定部品に調整部品を接着固定する為に照射するエネルギー線の散乱を防止する遮光面を備えることを特徴とする。
請求項５の発明は、請求項４に記載の偏心調整組み立て部品において、上記遮光面を、上記調整部品としての調整レンズ、又は、調整反射鏡のコバ面に形成したことを特徴とする。
請求項６の発明は、請求項１、３、４又は５に記載の偏心調整組み立て部品において、上記接着剤は、上記固定部品に調整部品を接着固定して組み立てる位置を、少なくとも円周に沿った３箇所以上に当配分したことを特徴とする。
請求項７の発明は、請求項１、２、３、４又は５に記載の偏心調整組み立て部品において、上記接着剤は、上記固定部品に上記調整部品を１箇所で接着固定して組み立てたことを特徴とする。
【０００８】
請求項８の発明は、請求項１乃至７の何れか一項に記載の偏心調整組み立て部品において、上記調整部品のコバ面と、上記コバ面と対向した固定部材に形成した接着面と、上記コバ面と上記接着面との間に充填して硬化収縮を制御した接着剤とを備えたことを特徴とする。
請求項９の発明は、組み立て部品の偏心を調整して組み立てる偏心調整組み立て方法において、固定部品の光軸に対する調整部品の光軸の偏心量、又は、偏心方向の検出結果に基づいて、上記固定部品に上記調整部品を接着固定して組み立てる接着剤の硬化収縮を制御して、上記固定部品の光軸に対して上記調整部品の光軸の偏心を調整して組み立てることを特徴とする。
請求項１０の発明は、請求項９に記載の偏心調整組み立て方法において、上記固定部品の光軸に対して上記調整部品の光軸の偏心を調整して組み立てる偏心調整組み立て工程では、粗調整工程で粗調整をした後に、微調整工程で微調整を行うことを特徴とする。
請求項１１の発明は、請求項１０に記載の偏心調整組み立て方法において、微調整工程は、接着剤の硬化収縮を制御して、固定部品の光軸に対して調整部品の光軸の偏心を微調整して組み立てることを特徴とする。
請求項１２の発明は、請求項１０又は１１に記載の偏心調整組み立て方法において、上記微調整工程において、上記固定部品の光軸に対して調整部品の光軸の微調整する偏心量は、２０μｍ以下であることを特徴とする。
請求項１３の発明は、請求項９、１０、１１又は１２に記載の偏心調整組み立て方法において、上記固定部品を回動して、固定部品の光軸に対する上記調整部品の光軸の偏心量、又は、偏心方向の検出を行うことを特徴とする。
【０００９】
請求項１４の発明は、請求項９、１０、１１、１２、又は１３に記載の偏心調整組み立て方法において、上記調整部品を回動して、上記固定部品の光軸に対する上記調整部品の光軸の偏心量、又は、偏心方向の検出を行うことを特徴とする。
請求項１５の発明は、請求項９に記載の偏心調整組み立て方法において、硬化収縮制御手段を備え、該硬化収縮制御手段による硬化収縮の制御領域に回動して来た接着剤の硬化収縮を制御して、上記固定部品の光軸に対して上記調整部品の光軸の偏心を調整して組み立てることを特徴とする。
請求項１６の発明は、請求項９、１０、１１、１２、１３、１４又は１５に記載の偏心調整組み立て方法において、上記硬化収縮制御手段は、接着剤のエネルギー線硬化型接着剤に照射するエネルギー線の照射バランスを制御することで、固定部品の光軸に対して調整部品の光軸の偏心を調整して組み立てることを特徴とする。
請求項１７の発明は、請求項１６に記載の偏心調整組み立て方法において、上記エネルギー線硬化型接着剤は、紫外線硬化型接着剤であることを特徴とする。
請求項１８の発明は、請求項１６又は１７に記載の偏心調整組み立て方法において、上記硬化収縮制御手段が行う接着剤に照射するエネルギー線のバランスを、エネルギー線の照射のオン／オフで制御して行うことを特徴とする。
請求項１９の発明は、請求項１６又は１７に記載の偏心調整組み立て方法において、上記硬化収縮制御手段は、接着剤に照射するエネルギー線のバランスを、エネルギー線の照射強度を制御して調整することを特徴とする。
【００１０】
請求項２０の発明は、請求項１６、１７、１８、又は１９に記載の偏心調整組み立て方法において、偏心検出手段を備え、上記硬化収縮制御手段の行なう接着剤に照射するエネルギー線の照射と、上記偏心検出手段の行う固定部品の光軸に対する調整部品の光軸の偏心量、又は、偏心方向の検出を、時分割で行うことを特徴とする。
請求項２１の発明は、請求項１６、１７、１８、１９、又は２０に記載の偏心調整組み立て方法において、上記調整部品に、エネルギー線硬化型接着剤の硬化収縮を制御して固定部品に調整部品を接着固定する為に照射するエネルギー線の散乱を防止する遮光面を形成することを特徴とする。
請求項２２の発明は、請求項２１に記載の偏心調整組み立て方法において、上記遮光面を、調整部品のレンズ、又は、反射鏡のコバ面に形成したことを特徴とする。
請求項２３の発明は、請求項９乃至２２の何れか一項に記載の偏心調整組み立て方法において、上記調整部品を接着固定する固定部材に、上記調整部品のコバ面と対向した接着面を設け、上記コバ面と上記接着面との間に接着剤を充填することを特徴とする。
請求項２４の発明は、偏心を調整して組み立てられた光学部品の偏心調整組み立て装置において、固定部品の光軸に対する調整部品の光軸の偏心量、又は、偏心方向を検出する偏心検出手段と、上記偏心検出手段の検出結果に基づいて上記固定部品に上記調整部品を接着固定して組み立てる接着剤の硬化収縮を制御する硬化収縮制御手段とを備え、上記硬化収縮制御手段により、上記固定部品の光軸に対して上記調整部品の光軸の偏心を調整して組み立てることを特徴とする。
請求項２５の発明は、請求項２４に記載の偏心調整組み立て装置において、上記固定部品の光軸に対して上記調整部品の光軸の偏心を調整して組み立てる粗調整工程で粗調整を行った後に微調整工程で微調整を行う硬化収縮制御手段と、上記固定部品の上記光軸に対して上記調整部品の上記光軸の偏心を調整して組み立てる偏心調整組み立工程の微調整工程で微調整を行う前に粗調整工程で粗調整を行う調整部品偏心調整手段と、からなることを特徴とする。
【００１１】
請求項２６の発明は、請求項２５に記載の偏心調整組み立て装置において、上記硬化収縮制御手段では、上記固定部品の光軸に対して上記調整部品の光軸の微調整する偏心量は、２０μｍ以下であることを特徴とする。
請求項２７の発明は、請求項２４、２５、又は２６に記載の偏心調整組み立て装置において、上記硬化収縮制御手段は、固定部品の光軸に対して調整部品の光軸が偏心している方向と逆方向側の接着剤部分に対して硬化収縮の制御をして上記固定部品の上記光軸に対して上記調整部品の上記光軸の偏心を調整して組み立てることを特徴とする。
請求項２８の発明は、請求項２４、２５、２６、又は２７に記載の偏心調整組み立て装置において、上記硬化収縮制御手段は、上記固定部品に上記調整部品を接着固定して組み立てる照射部を、少なくとも円周方向に３箇所以上等配分したことを特徴とする。
請求項２９の発明は、請求項２４、２５、２６、２７、又は２８に記載の偏心調整組み立て装置において、上記硬化収縮制御手段は、上記接着剤のエネルギー線硬化型接着剤に照射するエネルギー線の照射バランスを制御することで、上記固定部品の光軸に対して上記調整部品の光軸の偏心を調整して組み立てることを特徴とする。
請求項３０の発明は、請求項２９に記載の偏心調整組み立て装置において、上記エネルギー線硬化型接着剤は、紫外線硬化型接着剤であることを特徴とする。
請求項３１の発明は、請求項２９、又は３０に記載の偏心調整組み立て装置において、上記硬化収縮制御手段は、上記接着剤に照射するエネルギー線のバランスを、エネルギー線の照射のオン／オフで制御して調整することを特徴とする。
請求項３２の発明は、請求項３１に記載の偏心調整組み立て装置において、上記硬化収縮制御手段は、エネルギー線の照射のオン／オフで制御して行う電磁シャッタを備えることを特徴とする。
請求項３３の発明は、請求項２９、３０、３１、又は３２に記載の偏心調整組み立て装置において、上記硬化収縮制御手段は、上記接着剤に照射するエネルギー線のバランスを、エネルギー線の照射の照射強度で制御して調整することを特徴とする。
請求項３４の発明は、請求項３３に記載の偏心調整組み立て装置において、上記硬化収縮制御手段は、エネルギー線の照射の照射強度で制御して行う可変フィルターを備えることを特徴とする。
【００１２】
請求項３５の発明は、請求項２９、３０、３１、３２、３３、又は３４に記載の偏心調整組み立て装置において、上記偏心検出手段が行う上記固定部品の光軸に対する上記調整部品の光軸の偏心量、又は、偏心方向の検出と、上記硬化収縮制御手段が行う接着剤に照射するエネルギー線の照射を、時分割で行うことを特徴とする。
請求項３６の発明は、請求項２９、３０、３１、３２、３３、３４、又は３５に記載の偏心調整組み立て装置において、上記硬化収縮制御手段は、エネルギー線硬化型接着剤の硬化収縮を制御して固定部品に調整部品を接着固定する為に照射するエネルギー線の散乱を防止する遮光部材を備えることを特徴とする。
請求項３７の発明は、請求項３６に記載の偏心調整組み立て装置において、上記遮光部材は、調整部品の上部を囲む形状を有していることを特徴とする。
請求項３８の発明は、請求項２４乃至３６の何れか一項に記載の偏心調整組み立て装置において、上記硬化収縮制御手段は、調整部品を接着固定する固定部材に設けた上記調整部品のコバ面と対向した接着面との間に充填した接着剤の硬化収縮を制御して、固定部品の光軸に対して上記調整部品の光軸の偏心を調整して組み立てることを特徴とする。
請求項３９の発明は、請求項２５乃至３８の何れか一項に記載の偏心調整組み立て装置において、上記調整部品偏心調整手段は、調整部品を固定部品の光軸に対して垂直な平面内で上記固定部品の上記光軸に対して上記調整部品の光軸の偏心を調整して組み立てることを特徴とする。
請求項４０の発明は、請求項２４乃至３９の何れか一項に記載の偏心調整組み立て装置において、上記固定部品と調整部品は、回動手段によって回動可能に保持されていることを特徴とする。
【００１３】
請求項４１の発明は、請求項４０に記載の偏心調整組み立て装置において、上記回動手段は、上記固定部品と調整部品の回転位置を検出する回転位置検出手段を備えることを特徴とする。
請求項４２の発明は、請求項４０又は４１に記載の偏心調整組み立て装置において、上記硬化収縮制御手段は、硬化収縮の制御領域に回動して来た接着剤の硬化収縮を制御して、上記固定部品の光軸に対して上記調整部品の光軸の偏心を調整して組み立てることを特徴とする。
請求項４３の発明は、組み立て部品の偏心を調整して組み立てられた偏心調整組み立て部品で画像を形成する画像形成装置において、画像を形成する画像形成部と、上記請求項１乃至８の何れか一項に記載の偏心調整組み立て部品とからなることを特徴とする。
請求項４４の発明は、請求項４３に記載の画像形成装置において、上記画像形成部は、電子写真方法の作像プロセスで被記録媒体上にトナーの記録画像を形成することを特徴とする。
【発明の効果】
【００１４】
本発明は、以下に説明するように構成されているので、請求項１の発明によれば、接着剤の硬化収縮を制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができる低コストの偏心調整組み立て部品を提供することができるようになった。
請求項２の発明によれば、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができる低コストの偏心調整組み立て部品を提供することができるようになった。
請求項３の発明によれば、接着剤の硬化時間が短く取り扱いも容易となり硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができる低コストの偏心調整組み立て部品を提供することができるようになった。
請求項４の発明によれば、照射するエネルギー線の散乱を防止して、他の上着剤等への悪影響が回避されて、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができる低コストの偏心調整組み立て部品を提供することができるようになった。
請求項５の発明によれば、照射するエネルギー線のコバ面からの散乱を防止して、他の上着剤等への悪影響が回避されて、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができる低コストの偏心調整組み立て部品を提供することができるようになった。
【００１５】
請求項６の発明によれば、接着剤の硬化収縮を制御して固定部品と調整部品の偏心の調整と組み立の方法と装置が容易で簡単であって、望ましい状態で、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができる低コストの偏心調整組み立て部品を提供することができるようになった。
請求項７の発明によれば、接着剤の硬化収縮を制御して固定部品と調整部品の偏心の調整と組み立の方法と装置が、更に、容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて、更に、低コストである偏心調整組み立て部品を提供することができるようになった。
請求項８の発明によれば、調整して組み立てる際に、調整部品に接着剤の硬化収縮力が伝達しやすく簡単容易になり、より高精度でスムーズに調整部品の位置を制御することができるので、接着剤の硬化収縮による調整部品のずれをキャンセルして高精度に偏心調整をして接着して組み立てられているから、接着剤の硬化収縮を制御して固定部品と調整部品の偏心の調整と組み立の方法と装置が、更に、容易で簡単であって、位置決めした後の位置ずれの発生を防止して、更に、偏心調整の精度が高く、コンパクト化、高品質化、形成する画像の解像度の高解像度化、投射距離の低減等に対応することができる、更に、低コストの偏心調整組み立て部品を提供することができるようになった。
請求項９の発明によれば、接着剤の硬化収縮を制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
【００１６】
請求項１０の発明によれば、接着剤の硬化収縮だけで調整することができない場合でも、接着剤の硬化収縮を制御して、固定部品と調整部品の偏心の調整と組み立が可能となりその方法と装置も容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項１１の発明によれば、接着剤の硬化収縮だけで調整することができない場合でも、微調整工程は接着剤の硬化収縮を制御して、固定部品と調整部品の偏心の調整と組み立が可能となりその方法と装置も容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項１２の発明によれば、接着剤の硬化収縮だけで調整することができない場合でも、微調整する偏心量が２０μｍ以下の微調整工程は接着剤の硬化収縮を制御して、固定部品と調整部品の偏心の調整と組み立が可能となりその方法と装置も容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
【００１７】
請求項１３の発明によれば、接着剤の硬化収縮を制御して固定部品と調整部品の偏心の調整と組み立の方法と装置が容易で簡単であって、固定部品と調整部品の位置決めした後の位置ずれの発生を防止して、固定部品の偏心量、偏心方向の検出精度が高くなり、更に、固定部品と調整部品の偏心調整の精度が高くなり、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項１４の発明によれば、接着剤の硬化収縮を制御して固定部品と調整部品の偏心の調整と組み立の方法と装置が容易で簡単であって、固定部品と調整部品の位置決めした後の位置ずれの発生を防止して、調整部品の偏心量、偏心方向の検出精度が高くなり、更に、固定部品と調整部品の偏心調整の精度が高くなり、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項１５の発明によれば、接着剤の硬化収縮を制御して固定部品と調整部品の偏心の調整と組み立の方法と装置が、更に、容易で簡単であって、固定部品と調整部品の位置決めした後の位置ずれの発生を防止して、固定部品の偏心量、偏心方向の検出精度が高くなり、更に、固定部品と調整部品の偏心調整の精度が高くなり、コンパクト化、高品質化、形成する画像の解像度の高解像度化、投射距離の低減等に対応することができて、更に、低コストである偏心調整組み立て部品の組み立て部品の偏心を調整して組み立てる偏心調整組み立て方法を提供することができるようになった。
【００１８】
請求項１６の発明によれば、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項１７の発明によれば、接着剤の硬化収縮を硬化時間が短く容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項１８の発明によれば、接着剤の硬化収縮をエネルギー線の照射のオン／オフ（ＯＮ／ＯＦ）で容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項１９の発明によれば、接着剤の硬化収縮をエネルギー線の照射の照射強度で容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
【００１９】
請求項２０の発明によれば、偏心検出手段の検出結果への硬化収縮制御手段が行うエネルギー線照射の影響をなくすることができる為に、検出精度を低下させずに、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項２１の発明によれば、遮光面で他の接着箇所等へのエネルギー線の影響を無くし、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項２２の発明によれば、コバ面に形成した遮光面で他の接着箇所等へのエネルギー線の影響を無くし、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
請求項２３の発明によれば、調整して組み立てる際に、調整部品に接着剤の硬化収縮力が伝達しやすく簡単容易になり、より高精度でスムーズに調整部品の位置を制御することができるので、接着剤の硬化収縮による調整部品のずれをキャンセルして高精度に偏心調整をして接着して組み立てられるから、接着剤の硬化収縮を制御して固定部品と調整部品の偏心の調整と組み立の方法と装置が、更に、容易で簡単であって、固定部品と調整部品の位置決めした後の位置ずれの発生を防止して、更に、固定部品と調整部品の偏心調整の精度が高く、コンパクト化、高品質化、形成する画像の解像度の高解像度化、投射距離の低減等に対応することができて低コストである偏心調整組み立て部品の組み立て部品の偏心を調整して組み立てる偏心調整組み立て方法を提供することができるようになった。
【００２０】
請求項２４の発明によれば、接着剤の硬化収縮を制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項２５の発明によれば、接着剤の硬化収縮だけで調整することができない場合でも、硬化収縮制御手段で微調整工程を接着剤の硬化収縮を制御して、接着剤の硬化収縮を制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項２６の発明によれば、接着剤の硬化収縮だけで調整することができない場合でも、硬化収縮制御手段で微調整する偏心量が２０μｍ以下の微調整工程を接着剤の硬化収縮を制御して、接着剤の硬化収縮を制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
【００２１】
請求項２７の発明によれば、接着剤の硬化収縮を制御して固定部品と調整部品の偏心の調整と組み立の方法と装置が、更に、容易で簡単になって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項２８の発明によれば、接着剤の硬化収縮を制御して固定部品と調整部品の偏心の調整と組み立の方法と装置が容易で簡単であって、望ましい状態で、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項２９の発明によれば、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項３０の発明によれば、接着剤の硬化収縮を硬化時間が短く容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
【００２２】
請求項３１の発明によれば、接着剤の硬化収縮をエネルギー線の照射のオン／オフ（ＯＮ／ＯＦ）で容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離（プロジェクタの場合）の低減等に対応することができる低コストの偏心調整組み立て部品の組み立て部品の偏心を調整して組み立てる偏心調整組み立て装置を提供することができるようになった。
請求項３２の発明によれば、接着剤の硬化収縮を、電磁シャッタによって、エネルギー線の照射のオン／オフ（ＯＮ／ＯＦ）で容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項３３の発明によれば、接着剤の硬化収縮をエネルギー線の照射の照射強度で容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
【００２３】
請求項３４の発明によれば、接着剤の硬化収縮を可変フィルターによってエネルギー線の照射の照射強度で容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項３５の発明によれば、偏心検出手段の検出結果への硬化収縮制御手段が行うエネルギー線照射の影響をなくすることができる為に、検出精度を低下させずに、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項３６の発明によれば、エネルギー線の散乱を防止して、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項３７の発明によれば、エネルギー線の散乱を、更に、確実に防止して、接着剤の硬化収縮を容易に制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
【００２４】
請求項３８の発明によれば、調整して組み立てる際に、調整部品に接着剤の硬化収縮力が伝達しやすく簡単容易になり、より高精度でスムーズに調整部品の位置を制御することができるので、接着剤の硬化収縮による調整部品のずれをキャンセルして高精度に偏心調整をして接着して組み立てられるから、接着剤の硬化収縮を制御して固定部品と調整部品の偏心の調整と組み立の方法と装置が、更に、容易で簡単であって、固定部品と調整部品の位置決めした後の位置ずれの発生を防止して、更に、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項３９の発明によれば、接着剤の硬化収縮だけで調整することができない場合でも、調整部品偏心調整手段で粗調整を行った後に、硬化収縮制御手段で微調整工程を接着剤の硬化収縮を制御して、接着剤の硬化収縮を制御して固定部品と調整部品の偏心の調整と組み立の方法と装置が容易で簡単であって、固定部品と調整部品の位置決めした後の位置ずれの発生を防止して、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項４０の発明によれば、接着剤の硬化収縮を制御して固定部品と調整部品の偏心の調整と組み立の方法と装置が、更に、容易で簡単であって、調整部品の位置決めした後の位置ずれの発生を防止して、固定部品と調整部品の偏心量、偏心方向の検出精度が高くなり、更に、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
【００２５】
請求項４１の発明によれば、接着剤の硬化収縮を制御して固定部品と調整部品の偏心の調整と組み立の方法と装置が、更に、容易で簡単であって、調整部品の位置決めした後の位置ずれの発生を防止して、回転位置検出手段で固定部品と調整部品の回転位置を検出されて、固定部品と調整部品の偏心量、偏心方向の検出精度が高くなり、更に、固定部品と調整部品の偏心調整の精度が高く、コンパクト化、高品質化、形成する画像の解像度の高解像度化、投射距離の低減（プロジェクタの場合）等に対応することができる低コストの偏心調整組み立て部品の組み立て部品の偏心を調整して組み立てる偏心調整組み立て装置を提供することができるようになった。
請求項４２の発明によれば、接着剤の硬化収縮を制御して固定部品と調整部品の偏心の調整と組み立の方法と装置が、更に、容易で簡単であって、調整部品の位置決めした後の位置ずれの発生を防止して、固定部品と調整部品の偏心量、偏心方向の検出精度が高くなり、更に、固定部品と調整部品の偏心調整の精度が高く、コンパクト化、高品質化、形成する画像の解像度の高解像度化、投射距離の低減（プロジェクタの場合）等に対応することができて、更に、低コストの偏心調整組み立て部品の組み立て部品の偏心を調整して組み立てる偏心調整組み立て装置を提供することができるようになった。
請求項４３の発明によれば、接着剤の硬化収縮を制御して固定部品と調整部品の偏心の調整と組み立の方法と装置が容易で簡単であって、位置決めした後の位置ずれの発生を防止して、偏心調整の精度が高く、コンパクト化、高品質化、形成する画像の解像度の高解像度化等に対応することができる低コストの偏心調整組み立て部品を具備して画像を形成する画像形成装置を提供することができるようになった。
請求項４４の発明によれば、接着剤の硬化収縮を制御して固定部品と調整部品の偏心の調整と組み立の方法と装置が容易で簡単であって、位置決めした後の位置ずれの発生を防止して、偏心調整の精度が高く、コンパクト化、高品質化、形成する画像の解像度の高解像度化等に対応することができる低コストの偏心調整組み立て部品を具備して高速で高品質のトナーの記録画像を形成する画像形成装置を提供することができるようになった。
【発明を実施するための最良の形態】
【００２６】
次に、本発明の実施の形態は、図面を参照して詳細に説明する。
図１乃至図３において、偏心を調整して組み立てられる偏心調整組み立て部品０は、固定部品１としての固定レンズ１ａと、固定レンズ１ａに対して光軸５の偏心を調整して組み立てられた調整部品２としての調整レンズ２ａと、固定レンズ１ａの光軸（固定部品）５ａに対する調整レンズ２ａの光軸（調整部品）５ｂの偏心量、又は、偏心方向の検出結果に基づいて硬化収縮を制御して固定レンズ１ａに調整レンズ２ａを接着固定して組み立てる接着剤３とを備える。接着剤３の硬化収縮を制御して固定レンズ１ａと調整レンズ２ａの偏心の調整と組み立の方法と装置が容易で簡単であって、固定レンズ１ａと調整レンズ２ａの位置決めした後の位置ずれの発生を防止して、固定レンズ１ａと調整レンズ２ａの偏心調整の精度が高く、コンパクト化、高品質化、形成する画像の解像度の高解像度化、投射距離の低減化等に対応することができて低コストである。
固定部品１は、固定レンズ１ａ、固定レンズ群、固定反射鏡１ｂ、調整レンズ、調整反射鏡やその他の固定部品であってもよい。
調整部品２は、調整レンズ２ａ、調整レンズ群、調整反射鏡２ｂやその他の調整部品であってもよい。
【００２７】
接着剤３は、エネルギー線硬化型接着剤３ａとしての紫外線硬化型接着剤３ａ1であり、エネルギー線の照射条件により容易に硬化収縮を制御し易く、更に、硬化時間が短く取り扱いが容易である。
調整レンズ２ａ、又は、調整反射鏡２ｂの外周端縁に形成したコバ面２ｃには、遮光面４が形成してあるから、紫外線硬化型接着剤３ａ1の硬化収縮を制御して固定レンズ１ａや固定反射鏡１ｂやその他の固定部品に対して、調整レンズ２ａや調整反射鏡２ｂやその他の調整部品を接着固定する為に照射するエネルギー線の散乱を防止して、他の紫外線硬化型接着剤３ａ1等への悪影響を回避するようになっている。
紫外線硬化型接着剤３ａ1等は、図２に図示するように、固定レンズ１ａや固定反射鏡１ｂやその他の固定部品に対して、調整レンズ２ａや調整反射鏡２ｂやその他の調整部品を接着固定して組み立てる位置を、少なくとも３箇所以上とし、円周を等配分するように塗布されている。
従って、接着剤３の硬化収縮を制御して固定部品１と調整部品２の偏心の調整と組み立が容易に実施でき、望ましい状態で位置決めした後の位置ずれの発生を防止して、偏心調整の精度が高くなり、コンパクト化、高品質化、形成する画像の解像度の高解像度化、投射距離の短縮化等に対する対応が可能になる。
又、紫外線硬化型接着剤３ａ1等は、図３に図示するように、固定レンズ１ａや固定反射鏡１ｂやその他の固定部品に対して、調整レンズ２ａや調整反射鏡２ｂやその他の調整部品を接着固定して組み立てる位置を、回転円周上の１箇所で行うようにしているので、調整装置の構成を簡略化している。
従って、接着剤３の硬化収縮を制御して固定部品１と調整部品２の偏心の調整と組み立てが容易化し、位置決めした後の位置ずれの発生を防止して、偏心調整の精度が高くなり、コンパクト化、高品質化、形成する画像の解像度の高解像度化を実現し、投射距離の短縮化等に対応することができて、更に、低コスト化することができる。
【００２８】
図４と図５は偏心調整組み立て部品０の偏心を調整して組み立てる偏心調整組み立て装置１０を示し、この偏心調整組み立て装置１０は、固定レンズ１ａ、又は、固定レンズ群、固定反射鏡１ｂ（以下、固定レンズ１ａ等、という）やその他の固定部品の光軸（固定部品）５ａに対する調整レンズ２ａ、又は、調整レンズ群、調整反射鏡２ｂ（以下、調整レンズ２ａ等、という）やその他の調整部品の光軸（調整部品）５ｂの偏心量、又は、偏心方向を検出する偏心検出手段１１と、偏心検出手段１１の検出結果に基づいて、固定レンズ１ａ等の固定部品に調整レンズ２ａ等の調整部品を接着固定して組み立てる接着剤３の硬化収縮を制御する硬化収縮制御手段１２とからなり、硬化収縮制御手段１２により、固定レンズ１ａ等の光軸（固定部品）５ａに対して調整レンズ２ａ等の光軸（調整部品）５ｂの偏心を調整して組み立てるようになっている。
従って、紫外線硬化型接着剤３ａ1の硬化収縮を制御して固定部品１と調整部品２の偏心の調整と組み立てが容易となり、位置決めした後の位置ずれの発生を防止して、偏心調整の精度が高くなり、コンパクト化、高品質化、形成する画像の解像度の高解像度化が可能となり、投射距離の短縮等に対応することができて低コスト化できる。
偏心調整組み立て部品０の偏心を調整して組み立てる偏心調整組み立て方法は、固定レンズ１ａ等の光軸（固定部品）５ａに対する調整レンズ２ａ等の光軸（調整部品）５ｂの偏心量、又は、偏心方向の検出結果に基づいて、固定レンズ１ａ等に調整レンズ２ａ等を接着固定して組み立てる紫外線硬化型接着剤３ａ1の硬化収縮を制御して、固定レンズ１ａ等の光軸（固定部品）５ａに対して調整レンズ２ａ等の光軸（調整部品）５ｂの偏心を調整して組み立てることができる。
従って、紫外線硬化型接着剤３ａ1の硬化収縮を制御して固定部品１と調整部品２の偏心の調整と組み立てが容易となり、位置決めした後の位置ずれの発生を防止して、偏心調整の精度が高くなり、コンパクト化、高品質化、形成する画像の解像度の高解像度化を図り、投射距離の低減（プロジェクタの場合）等に対応することができる。
【００２９】
偏心調整組み立て装置１０は、図５に示すように固定部材０ａの固定レンズ枠０ａ1に挿入固定された固定レンズ１ａ等の固定部品の外周面を要所にて把持する固定部品把持手段１１ａと、図４に示す調整レンズ２ａを把持するための調整部品偏心調整手段１３（調整部品把持手段１３ａ）と、固定レンズ１ａ等の光軸（固定部品）５ａに垂直な固定レンズ枠０ａ1上の取り付け基準面０ａ11に対して調整レンズ２ａを一定の圧力で押付ける調整部品押圧手段１３ｂと、調整部品把持手段１３ａに取り付けられ、固定レンズ１ａ、又は、固定レンズ群の光軸（固定部品）５ａに垂直な面内の２方向、Ｘ軸方向とＹ軸方向に調整レンズ２ａを調整可能な調整部品偏心調整手段１３と、調整レンズ２ａの偏心量、偏心方向を検出する偏心検出手段１１と、固定レンズ枠０ａ1と調整レンズ２ａの間に塗布された紫外線硬化型接着剤３ａ1の硬化収縮を制御する硬化収縮制御手段１２と、偏心検出手段１１の検出結果を基に偏心量、偏心方向を演算する制御部１２ｅの偏心量／偏心方向演算手段１２ｅ1、接着剤３の硬化収縮の制御量を演算する硬化収縮制御量演算手段１２ｅ2等より構成されている。
硬化収縮制御手段１２は第１照射部１２ａ1、第２照射部１２ａ2、第３照射部１２ａ3、第４照射部１２ａ4からエネルギー線硬化型接着剤３ａの複数の照射位置にエネルギー線を照射する。
偏心調整組み立て部品０の偏心を調整して組み立てる偏心調整組み立て方法は、固定レンズ１ａ、又は、固定レンズ群を固定部品把持手段１１ａで把持し、偏心検出手段１１の内部にある光源１１ｂでターゲット１１ｃの十字線等の像を固定レンズ１ａ等に導く。１１ｇはビームスプリッタであり、そのビームスプリッタ面で反射した光線を焦点板１１ｄ上に結像させ、その結像をＣＣＤカメラ１１ｅに導くようになっている。
このＣＣＤカメラ１１ｅによるターゲット１１ｃの十字線等の像の検出座標が偏心調整の目標座標となる。
【００３０】
固定レンズ枠０ａ1上の取り付け基準面０ａ11上に調整レンズ２ａを載せ、調整部品把持手段１３ａで把持し、固定レンズ枠０ａ1上の取り付け基準面０ａ11に対して調整部品押圧手段１３ｂで一定の圧力で押付ける。
この状態で、調整レンズ２ａのレンズ面で反射し、焦点板１１ｄ上に結像したターゲット１１ｃの十字線等の像の検出座標と目標座標の差が調整レンズ２ａの偏心量となる。
調整レンズ２ａを固定レンズ枠０ａ1の上に載せ、調整レンズ２ａのコバ面２ｃと取り付け基準面０ａ11との間に紫外線硬化型接着剤３ａ1を肉盛り塗布して接着する。
紫外線硬化型接着剤３ａ1の塗布位置は、調整レンズ２ａのコバ面２ｃの円周上に３箇所以上で、円周を等配分するように塗布することで、望ましい状態となる。
偏心調整組み立て装置１０は、この状態で、偏心検出手段１１により検出した検出結果に基づいて、この接着剤３の硬化収縮のバランスを制御して、調整レンズ２ａの位置を調整する。
調整レンズ２ａが偏心している方向と逆側の紫外線硬化型接着剤３ａ1を硬化させるように制御することで、その硬化収縮力で調整レンズ２ａを動かすことができるので、更に、固定レンズ１ａ等と調整レンズ２ａとの偏心の調整と組み立の方法と装置が、更に、容易で簡単になった。
接着剤３としては、エネルギー線硬化型接着剤３ａが、エネルギー線の照射条件により容易に硬化収縮を制御し易いので望ましく、エネルギー線硬化型接着剤３ａの中でも、特に、一般的に、光学部品の接着等に用いられている紫外線硬化型接着剤３ａ1は、硬化時間が短く、取扱が容易ということで、偏心調整組み立て装置１０の調整には適している。
【００３１】
偏心調整組み立て装置１０は、固定レンズ１ａ等の光軸（固定部品）５ａに対して調整レンズ２ａの光軸（調整部品）５ｂの偏心を調整して組み立てる粗調整工程で粗調整を行った後に微調整工程で微調整を行う硬化収縮制御手段１２と、固定レンズ１ａ等の光軸（固定部品）５ａに対して調整レンズ２ａの光軸（調整部品）５ｂの偏心を調整して組み立てる微調整工程で微調整を行う前に粗調整工程で粗調整を行う調整部品偏心調整手段１３とからなる。
従って、調整レンズ２ａの調整量が大きく接着剤３の硬化収縮だけで調整することができない場合でも、紫外線硬化型接着剤３ａ1の硬化収縮による調整レンズ２ａのずれをキャンセルし高精度に偏心調整し、接着して組み立てることが可能となった。
硬化収縮制御手段１２を構成する照射部１２ａの第１照射部１２ａ1、第２照射部１２ａ2、第３照射部１２ａ3、第４照射部１２ａ4からの照射するエネルギー線の照射バランスを変えて、紫外線硬化型接着剤３ａ1の収縮力で調整可能な偏心量は、調整レンズ２ａの重量、固定レンズ枠０ａ1の取り付け基準面０ａ11との摩擦力、調整レンズ２ａの押圧力、紫外線硬化型接着剤３ａ1の塗布量、接着剤３の収縮率等により変わるが、５〜２０μｍ程度である。
固定レンズ１ａ等に対する調整レンズ２ａの初期設置精度が調整可能な偏心量以内であれば、第１照射部１２ａ1、第２照射部１２ａ2、第３照射部１２ａ3、第４照射部１２ａ4から照射するエネルギー線の照射バランスを変えて、紫外線硬化型接着剤３ａ1の収縮力による調整のみで、調整レンズ２ａの調整を行うことが可能である。
固定レンズ１ａ等に対する調整レンズ２ａの初期設置精度が調整可能な偏心量より悪い場合には、調整部品偏心調整手段１３で、紫外線硬化型接着剤３ａ1の収縮力で調整可能な偏心量以内になるように粗調整した後に、紫外線硬化型接着剤３ａ1の収縮力で微調整を行ったり、又は、通常のレンズ偏心調整のように、調整部品偏心調整手段１３で目標座標に完全に調整し、その後に発生する紫外線硬化型接着剤３ａ1の硬化収縮による調整レンズ２ａの偏心ずれをキャンセルするように硬化収縮の制御を行い、調整レンズ２ａをずらさずに接着することができる。
硬化収縮制御手段１２が行う紫外線硬化型接着剤３ａ1に照射するエネルギー線の照射は、偏心検出手段１１が行う固定レンズ１ａ等の光軸（固定部品）５ａに対する調整レンズ２ａの光軸（調整部品）５ｂの偏心量、又は、偏心方向の検出と、時分割で行われるようになっている。
従って、偏心検出手段１１の検出結果への、硬化収縮制御手段１２が行うエネルギー線照射の影響をなくすことができるため、検出精度を低下させずに、接着剤３の硬化収縮による調整レンズ２ａのずれをキャンセルし高精度に偏心調整して接着組み立てをすることができるようになった。
【００３２】
図６乃至図１１において、図６と図９の接着部の平面図に夫々図示するように紫外線硬化型接着剤３ａ1の塗布位置が４箇所、それぞれの紫外線硬化型接着剤３ａ1にエネルギー線を照射する照射部１２ａ1、１２ａ2、１２ａ3、１２ａ4が４セットを構成した調整装置であり、図示のように調整レンズ２ａが＋Ｙ方向、−Ｘ方向に偏心している場合、最初、第２照射部１２ａ2と第３照射部１２ａ3のみのエネルギー線を照射することで、接着剤３が硬化収縮し、調整レンズ２ａを−Ｙ、＋Ｘ方向にずらすことができる。
第１照射部１２ａ1、第２照射部１２ａ2、第３照射部１２ａ3、第４照射部１２ａ4から紫外線硬化型接着剤３ａ1に照射するエネルギー線の照射バランスを変える方法としては、エネルギー線の照射のオン／オフ（ＯＮ／ＯＦＦ）で複数の紫外線硬化型接着剤３ａ1への照射の有無を切り換え制御する方法（図８を参照）と、エネルギー線の照射強度を変化させることで変える方法（図１１を参照）、それらを組み合わせる方法がある。
照射部１２ａ1、１２ａ2、１２ａ3、１２ａ4からエネルギー線の照射をオン／オフ（ＯＮ／ＯＦＦ）する手段としては、比較的簡単な装置構成で紫外線硬化型接着剤３ａ1に照射するエネルギー線のバランスを制御することができる、電磁シャッタ１２ｃ等が使用される（図４を参照）。
第１照射部１２ａ1、第２照射部１２ａ2、第３照射部１２ａ3、第４照射部１２ａ4からのエネルギー線の照射強度を変化する手段として、紫外線硬化型接着剤３ａ1に照射するエネルギー線のバランスを微妙に制御することができる、濃度の違うフィルターを自動で変えるエネルギー線の可変フィルター１２ｄ等が使用される（図４を参照）。
【００３３】
次に、図１２乃至図１６は本発明の他の実施形態に係る偏心調整組み立て装置１０を示し、この偏心調整組み立て装置１０は、固定レンズ１ａ等と調整レンズ２ａ等の偏心の検出系に対して、固定レンズ１ａ等と調整レンズ２ａ等を回転させる回転手段１４と、固定レンズ１ａ等と調整レンズ２ａ等の回転位置を検出する回転位置検出手段１５と、回転中のターゲット１１ｃの十字線等の像の結像位置の振れ量を検出する画像処理部１１ｆにより構成された偏心検出手段１１を構成することもできる。
回転手段１４は、スピンドル１４ａ、伝動ベルト１４ｂ、回転駆動モータ１４ｃ、Ｘ軸、又は、Ｙ軸方向の回転芯出し用のステージ１４ｄ等からなり、固定レンズ１ａ等と調整レンズ２ａ等を図示の矢印（Ａ）方向に回転させるようになっている。
これは、所謂、回転式の偏心測定機の下に偏心調整装置を構成したものであって、ＣＣＤカメラ１１ｅ上のターゲット１１ｃの十字線等の像は、固定レンズ１ａ等と調整レンズ２ａ等に偏心がある場合、固定レンズ１ａ等と調整レンズ２ａ等の回転に伴ってその偏心量を半径とする円を描くように回転する。
ＣＣＤカメラ１１ｅ上のターゲット１１ｃの十字線等の像の振れ幅で偏心量を測定するため、静止の状態で固定レンズ１ａ等と調整レンズ２ａ等の偏心量を測定するよりも高精度に測定することが可能となって、固定部品１と調整部品２等の偏心調整の精度が、更に、高くなった。
【００３４】
又、硬化収縮制御手段１２は、硬化収縮の制御領域に回動して来た紫外線硬化型接着剤３ａ1の硬化収縮を制御して、固定レンズ１ａ等の光軸（固定部品）５ａに対して調整レンズ２ａ等の光軸（調整部品）５ｂの偏心を調整して組み立てることになり、紫外線硬化型接着剤３ａ1の硬化収縮の制御を紫外線硬化型接着剤３ａ1の回転円周上の、一箇所である第１照射部１２ａ1で行えばよく、偏心調整組み立て装置１０の構成を簡略化することができるようになった。
この場合における、紫外線硬化型接着剤３ａ1の硬化収縮の制御の方法としては、図１４と図１６に図示するように、例えば、第１照射部１２ａ1から、９０度手前の時点で、固定レンズ１ａ等と調整レンズ２ａ等の偏心量ｅの測定を行い、固定レンズ１ａ等と調整レンズ２ａ等、及び、紫外線硬化型接着剤３ａ1が９０度回転し、第１照射部１２ａ1の下に来た時点で、偏心量の測定結果を基にその紫外線硬化型接着剤３ａ1に合ったエネルギー線を照射するようになっている。
このように、偏心検出手段１１による偏心量の測定と第１照射部１２ａ1からのエネルギー線照射を繰り返すことで、固定レンズ１ａ等と調整レンズ２ａ等の偏心量を調整して接着して組み立てることができる。
従って、紫外線硬化型接着剤３ａ1の硬化収縮を制御して固定部品１と調整部品２の偏心の調整と組み立の方法と装置が、更に、容易で簡単簡略であって、固定部品１と調整部品２の位置決めした後の位置ずれの発生を防止して、固定部品１と調整部品２の偏心量、偏心方向の検出精度が高くなり、更に、固定部品１と調整部品２の偏心調整の精度が高く、コンパクト化、高品質化、形成する画像の解像度の高解像度化、投射距離の低減等に対応することができて、硬化収縮制御手段１２の照射部１２ａを回転円周上の一箇所に設けるだけで、更に、低コストとなった偏心調整組み立て装置１０を提供することができるようになった。
【００３５】
図１７において、偏心調整組み立て装置１０においては、硬化収縮制御手段１２である照射部１２ａの第１照射部１２ａ1、第２照射部１２ａ2、第３照射部１２ａ3、第４照射部１２ａ4からエネルギー線を紫外線硬化型接着剤３ａ1に照射すると、その照射するネルギー線の一部は、固定レンズ１ａ等と調整レンズ２ａ等のレンズ面で反射され、偏心検出手段１１の検出系に入って検出結果への影響を防止する為に、エネルギー線の照射と、調整レンズ２ａの偏心量、偏心方向の検出を時分割で行っている。
偏心調整組み立て装置１０は、更に、調整レンズ２ａにエネルギー線が入ることによる、調整レンズ２ａ内で散乱したエネルギー線により照射した接着箇所以外の紫外線硬化型接着剤３ａ1等の硬化が進行してしまうのを確実に防止する為に、調整レンズ２ａのコバ面２ｃにエネルギー線を遮断するコーティングを施して遮光面４が形成されている。
更に、硬化収縮制御手段１２は、紫外線硬化型接着剤３ａ1の硬化収縮を制御して固定レンズ１ａ等に調整レンズ２ａを接着固定する為に照射するエネルギー線の散乱を遮光部材１２ｂで防止するようになっている。
遮光部材１２ｂは、調整レンズ２ａの上部を囲む形状になっているから、調整レンズ２ａ内にエネルギー線が入らないように、更に、確実に防止している。
これにより、他の接着箇所等へのエネルギー線の影響を無くし、紫外線硬化型接着剤３ａ1の収縮による調整レンズ２ａの偏心調がスムーズに行われる偏心調整組み立て装置１０を提供することができるようになった。
【００３６】
図１８において、図示する偏心調整組み立て部品０は、調整レンズ２ａのコバ面２ｃと、又は、遮光面４を介して、コバ面２ｃと対向した固定部材０ａの固定レンズ枠０ａ1に形成した接着面０ａ2と、コバ面２ｃと接着面０ａ2との間に充填して硬化収縮を制御した紫外線硬化型接着剤３ａ1とからなる構成になっている。
従って、調整して組み立てる際に、調整レンズ２ａに紫外線硬化型接着剤３ａ1の硬化収縮力が伝達しやすく簡単容易になり、より高精度でスムーズに調整レンズ２ａの位置を制御することができるので、紫外線硬化型接着剤３ａ1の硬化収縮による調整レンズ２ａのずれをキャンセルして高精度に偏心調整をして接着して組み立てられているから、紫外線硬化型接着剤３ａ1の硬化収縮を制御して固定レンズ１ａ等と調整レンズ２ａ等の偏心の調整と組み立の方法と装置が、更に、容易で簡単であって、固定レンズ１ａ等と調整レンズ２ａ等を位置決めした後の位置ずれの発生を防止して、更に、固定レンズ１ａ等と調整レンズ２ａ等の偏心調整の精度が高く、コンパクト化、高品質化、形成する画像の解像度の高解像度化、投射距離の低減等に対応することができる、更に、低コストの偏心調整組み立て部品０を提供することができるようになった。
【００３７】
図示する偏心調整組み立て装置１０は、第１照射部１２ａ1、第２照射部１２ａ2等は、調整レンズ２ａを接着固定する固定部材０ａの固定レンズ枠０ａ1に設けた調整レンズ２ａのコバ面２ｃと対向した接着面０ａ2との間に充填した紫外線硬化型接着剤３ａ1の硬化収縮を制御して、固定レンズ１ａ等の光軸（固定部品）５ａに対して調整レンズ２ａの光軸（調整部品）５ｂの偏心を調整して組み立てるようになっている。
従って、偏心調整組み立て部品０の偏心を調整して組み立てる際に、調整レンズ２ａに接着剤３の硬化収縮力が伝達しやすく簡単容易になり、より高精度でスムーズに調整レンズ２ａの位置を制御することができるので、紫外線硬化型接着剤３ａ1の硬化収縮による調整レンズ２ａのずれをキャンセルして高精度に偏心調整をして接着して組み立てられるから、紫外線硬化型接着剤３ａ1の硬化収縮を制御して固定レンズ１ａ等と調整部品２の偏心の調整と組み立の方法と装置が、更に、容易で簡単であって、位置決めした後の位置ずれの発生を防止して、更に、偏心調整の精度が高く、コンパクト化、高品質化、形成する画像の解像度の高解像度化、投射距離の低減等に対応することができる、更に、低コストの偏心調整組み立て部品０の偏心を調整して組み立てる偏心調整組み立て装置１０を提供することができるようになった。
偏心調整組み立て部品０の偏心調整組み立て方法は、調整レンズ２ａを接着固定する固定部材０ａの固定レンズ枠０ａ1に調整レンズ２ａのコバ面２ｃと対向した接着面０ａ2を設け、コバ面２ｃと接着面０ａ2の間に紫外線硬化型接着剤３ａ1を充填するようになっている。
従って、偏心調整組み立て部品０の偏心を調整して組み立てる際に、調整レンズ２ａに接着剤３の硬化収縮力が伝達しやすく簡単容易になり、より高精度でスムーズに調整レンズ２ａの位置を制御することができるので、紫外線硬化型接着剤３ａ1の硬化収縮による調整レンズ２ａのずれをキャンセルして高精度に偏心調整をして接着して組み立てられるから、接着剤３の硬化収縮を制御して固定レンズ１ａ等と調整レンズ２ａ等の偏心の調整と組み立の方法と装置が、更に、容易で簡単であって、固定レンズ１ａ等と調整レンズ２ａ等の位置決めした後の位置ずれの発生を防止して、更に、固定レンズ１ａ等と調整レンズ２ａ等の偏心調整の精度が高く、コンパクト化、高品質化、形成する画像の解像度の高解像度化、投射距離の低減等に対応することができる、更に、低コストの偏心調整組み立て部品０の偏心を調整して組み立てる偏心調整組み立て方法を提供することができるようになった。
【００３８】
図１９において、本発明の偏心調整組み立て部品を用いた構成によって画像を形成する画像形成装置５０は、画像を形成する画像形成部５１と、請求項１乃至５０の何れか一項に記載の偏心調整組み立て部品０とからなり、接着剤３の硬化収縮を制御して固定部品１と調整部品２の偏心の調整と組み立てが容易となり、固定部品１と調整部品２の位置決めした後の位置ずれの発生を防止して、固定部品１と調整部品２の偏心調整の精度が高く、コンパクト化、高品質化、形成する画像の解像度の高解像度化、投射距離の低減等に対応することができて低コストである。
画像形成部５１は、電子写真方法の作像プロセスで、高速で高品質のトナーの記録画像を形成する。
画像形成部５１の上部には、原稿（Ｏ）の画像を読み取る原稿画像読取部５２が配置されている。
他方、画像形成部５１の下部には、画像形成部５１を載置して被記録媒体（Ｐ）の記録用紙を供給する給紙装置５３が配置されている。
原稿画像読取部５２における読み取り原稿（Ｏ）の原稿画像の読み取りは、まず、読み取り原稿（Ｏ）がコンタクトガラス５２ａ上に載置されて、圧板５２ｂにて読み取り原稿（Ｏ）が押えられる。
読み取り原稿（Ｏ）の原稿画像の読み取りスタートにて、図示しない駆動源の駆動モータが、回転駆動を開始して、第１キャリッジ５２ｃと第２キャリッジ５２ｄが、図示しない歯車列やタイミングベルト等を介して図示の矢印（Ｂ）方向に駆動されて所定の各移動速度で走査移動する。
【００３９】
図示の矢印（Ｂ）方向に走査移動する第１キャリッジ５２ｃには、コンタクトガラス５２ａ上に載置された読み取り原稿（Ｏ）を照射する照明光源５２ｅと第１ミラー５２ｆが搭載されている。
図示の矢印（Ｂ）方向に走査移動する第２キャリッジ５２ｄには、第２ミラー５２ｇと第３ミラー５２ｈが搭載されている。
照明光源５２ｅのランプにて読み取り原稿（Ｏ）を照射し、第１ミラー５２ｆ、第２ミラー５２ｇ、第３ミラー５２ｈ、偏心調整組み立て部品０からなる原稿画像読取レンズ５２ｉを介して原稿画像読取手段５２ｊのＣＣＤに光が入って、読み取り原稿（Ｏ）の原稿画像の読み取り画像の読み取りが高解像度化等されて行われるようになっている。
原稿画像読取部５２で、読み取る原稿（０）の原稿画像の画像データでトナーの記録画像を形成する電子写真方法の作像プロセスによる、書き込みユニット５１ｃのレーザーダイオードを発光させることにより、偏心調整組み立て部品０からなる記録画像書き込みレンズ５１ｃ1を介して、記録画像の書き込みが高解像度化等されて行われ、帯電手段５１ｂで均一に帯電された像担持体５１ａのドラム形状の感光体ドラムの表面５１ａ1に潜像を形成する。
【００４０】
書き込みユニット５１ｃのレーザーダイオードを発光させて、偏心調整組み立て部品０からなる記録画像書き込みレンズ５１ｃ1を介して露光して形成した静電潜像は、現像手段５１ｄで顕像化してトナーの記録画像を形成するようになっている。
現像手段５１ｄで顕像化したトナーの記録画像は、転写手段５１ｅで、給紙装置５３の給紙カセット５３ａ、給紙カセット５３ｂ、又は、給紙カセット５３ｃから搬送されてレジストローラ５１ｆで像担持体５１ａのドラム形状の感光体ドラムの表面５１ａ1に形成されたトナーの記録画像と同期して給送される被記録媒体（Ｐ）の記録用紙に転写される。
転写手段５１ｅで被記録媒体（Ｐ）の記録用紙に転写されたトナーの記録画像は、定着手段５１ｈの加熱定着ローラ５１ｈ1と加圧定着ローラ５１ｈ2にて加熱と加圧後に、被記録媒体（Ｐ）の記録用紙は排紙ローラ対５１ｉによって排紙トレイ５１ｊに排紙されて収納される。
他方、像担持体５１ａのドラム形状の感光体ドラムの表面５１ａ1は、被記録媒体（Ｐ）の記録用紙にトナーの記録画像を転写した後に、像担持体５１ａのドラム形状の感光体ドラムの表面５１ａ1に付着した残留トナーを、クリーニング手段５１ｇによって掻き落とされクリーニングされて、次工程の画像形成に備えるようになっている。
従って、接着剤３の硬化収縮を制御して固定部品１と調整部品２の偏心の調整と組み立てが容易となり、固定部品１と調整部品２の位置決めした後の位置ずれの発生を防止して、固定部品１と調整部品２の偏心調整の精度が高く、コンパクト化、高品質化、形成する画像の解像度の高解像度化、投射距離の低減等に対応することができる低コストの偏心調整組み立て部品０を具備して高速で高品質の画像を形成する画像形成装置５０を提供することができるようになった。
【図面の簡単な説明】
【００４１】
【図１】本発明の実施の形態例を示す偏心調整組み立て部品を説明する説明図である。
【図２】本発明の他の実施の形態例を示す偏心調整組み立て部品の主要部を説明する斜視図である。
【図３】本発明の他の実施の形態例を示す偏心調整組み立て部品の主要部を説明する斜視図である。
【図４】本発明の実施の形態例を示す偏心調整組み立て部品の偏心調整組み立て装置を説明する説明図である。
【図５】本発明の実施の形態例を示す偏心調整組み立て部品の偏心調整組み立て装置を説明する斜視図である。
【図６】本発明の実施の形態例を示す偏心調整組み立て部品の偏心調整組み立て装置の主要部の状態を説明する説明図である。
【図７】本発明の実施の形態例を示す偏心調整組み立て部品の偏心調整組み立て装置の他の主要部を説明する断面図である。
【図８】本発明の実施の形態例を示す偏心調整組み立て部品の偏心調整組み立て装置の他の主要部の動作を説明するタイムチャートである。
【図９】本発明の他の実施の形態例を示す偏心調整組み立て部品の偏心調整組み立て装置の主要部の状態を説明する説明図である。
【図１０】本発明の他の実施の形態例を示す偏心調整組み立て部品の偏心調整組み立て装置の他の主要部を説明する断面図である。
【図１１】本発明の他の実施の形態例を示す偏心調整組み立て部品の偏心調整組み立て装置の他の主要部の動作を説明するタイムチャートである。
【図１２】本発明の他の実施の形態例を示す偏心調整組み立て部品の偏心調整組み立て装置を説明する説明図である。
【図１３】本発明の他の実施の形態例を示す偏心調整組み立て部品の偏心調整組み立て装置を説明する斜視図である。
【図１４】本発明の他の実施の形態例を示す偏心調整組み立て部品の偏心調整組み立て装置の主要部の状態を説明する説明図である。
【図１５】本発明の他の実施の形態例を示す偏心調整組み立て部品の偏心調整組み立て装置の他の主要部を説明する断面図である。
【図１６】本発明の他の実施の形態例を示す偏心調整組み立て部品の偏心調整組み立て装置の他の主要部の動作を説明するタイムチャートである。
【図１７】本発明の実施の形態例を示す偏心調整組み立て部品と偏心調整組み立て部品を組み立てる偏心調整組み立て装置の他の主要部を説明する拡大断面図である。
【図１８】本発明の実施の形態例を示す偏心調整組み立て部品と偏心調整組み立て部品を組み立てる偏心調整組み立て装置の他の主要部を説明する拡大断面図である。
【図１９】本発明の実施の形態例を示す偏心調整組み立て部品を具備する画像形成装置を説明する説明図である。
【符号の説明】
【００４２】
０  偏心調整組み立て部品、
０ａ  固定部材、
０ａ1  固定レンズ枠、
０ａ11  取り付け基準面、
０ａ2  接着面
１  固定部品、
１ａ  固定レンズ、
１ｂ  固定反射鏡
２  調整部品、
２ａ  調整レンズ、
２ｂ  調整反射鏡、
２ｃ  コバ面
３  接着剤、
３ａ  エネルギー線硬化型接着剤、
３ａ1  紫外線硬化型接着剤
４  遮光面
５  光軸、
５ａ  光軸（固定部品）、
５ｂ  光軸（調整部品）
１０  偏心調整組み立て装置
１１  偏心検出手段、
１１ａ  固定部品把持手段、
１１ｂ  光源、
１１ｃ  ターゲット、
１１ｄ  焦点板、
１１ｅ  ＣＣＤカメラ、
１１ｆ  画像処理部、
１１ｇ  ビームスプリッタ
１２  硬化収縮制御手段、
１２ａ  照射部、
１２ａ1  第１照射部、
１２ａ2  第２照射部、
１２ａ3  第３照射部、
１２ａ4  第４照射部、
１２ｂ  遮光部材、
１２ｃ  電磁シャッタ、
１２ｄ  可変フィルター、
１２ｅ  制御部、
１２ｅ1  偏心量／偏心方向演算手段、
１２ｅ2  硬化収縮制御量演算手段
１３  調整部品偏心調整手段、
１３ａ  調整部品把持手段、
１３ｂ  調整部品押圧手段
１４  回動手段、
１４ａ  スピンドル、
１４ｂ  伝動ベルト、
１４ｃ  回転駆動モータ、
１４ｄ  ステージ
１５  回転位置検出手段
５０  画像形成装置
５１  画像形成部、
５１ａ  像担持体、
５１ａ1  表面、
５１ｂ  帯電手段、
５１ｃ  書き込みユニット、
５１ｃ1  記録画像書き込みレンズ、
５１ｄ  現像手段、
５１ｅ  転写手段、
５１ｆ  レジストローラ、
５１ｇ  クリーニング手段、
５１ｈ  定着手段、
５１ｈ1  加熱定着ローラ、
５１ｈ2  加圧定着ローラ、
５１ｉ  排紙ローラ対、
５１ｊ  排紙トレイ
５２  原稿画像読取部、
５２ａ  コンタクトガラス、
５２ｂ  圧板、
５２ｃ  第１キャリッジ、
５２ｄ  第２キャリッジ、
５２ｅ  照明光源、
５２ｆ  第１ミラー、
５２ｇ  第２ミラー、
５２ｈ  第３ミラー、
５２ｉ  原稿画像読取レンズ、
５２ｊ  原稿画像読取手段
５３  給紙装置、
５３ａ  給紙カセット、
５３ｂ  給紙カセット、
５３ｃ  給紙カセット
【図１】
2006250964.tif 000003
【図２】
2006250964.tif 000004
【図３】
2006250964.tif 000005
【図４】
2006250964.tif 000006
【図５】
2006250964.tif 000007
【図６】
2006250964.tif 000008
【図７】
2006250964.tif 000009
【図８】
2006250964.tif 000010
【図９】
2006250964.tif 000011
【図１０】
2006250964.tif 000012
【図１１】
2006250964.tif 000013
【図１２】
2006250964.tif 000014
【図１３】
2006250964.tif 000015
【図１４】
2006250964.tif 000016
【図１５】
2006250964.tif 000017
【図１６】
2006250964.tif 000018
【図１７】
2006250964.tif 000019
【図１８】
2006250964.tif 000020
【図１９】
2006250964.tif 000021